(57)【要約】      （修正有）【課題】立体的ないし動的な要素を紙器に組み込むことによって、意外性と機能性、そしてより一層の面白みを兼ね備えた紙器を提供する。【解決手段】紙器本体３Ａと、紙器本体に対して出没可能に取り付けられた引出部５Ａと、引出部に設けられ引出部が紙器本体より引き出されることにより起立される起立部７Ａと、を具備したものである。引出表板１７の第９折り線Ｌ９寄りの上下には、引出部５Ａを紙器本体３Ａ内に挿し込む際にストッパとして機能する幅方向Ｗに張り出した２つの張出し部３３、３３が設けられており、更に引出表板１７の張出し部３３、３３寄りの幅方向Ｗの中央部には、幅方向Ｗに延びる第１１折り線Ｌ１１と、該第１１折り線Ｌ１１の両端から門型に切られたスリット３５が設けられており、スリット３５と第１１折り線Ｌ１１で囲まれた内部が物品Ａを挟んで保持する物品保持部３７になっている。【選択図】図３
0003182980.tif 000002
【実用新案登録請求の範囲】
【請求項１】
紙器本体と、上記紙器本体に対して出没可能に取り付けられた引出部と、上記引出部に設けられ該引出部が上記紙器本体より引き出されることにより起立される起立部と、を具備したことを特徴とする紙器。
【請求項２】
請求項１記載の紙器において、
上記引出部には物品を保持する物品保持部が設けられていることを特徴とする紙器。
【請求項３】
請求項２記載の紙器において、
上記物品保持部は容器状に形成されていることを特徴とする紙器。
【請求項４】
請求項３記載の紙器において、
上記起立部には硬貨を保持する硬貨保持部が設けられていて、上記物品保持部は貯金箱として機能するように構成されていて、上記引出部を引き出して上記起立部の硬貨保持部に硬貨を保持させ、上記引出部を上記紙器本体内に押し戻すことにより上記硬貨保持部に保持させた硬貨を上記物品保持部内に落下させるようにしたことを特徴とする紙器。
【請求項５】
請求項２記載の紙器において、
上記物品保持部には物品としての植物種が保持されていることを特徴とする紙器。
【請求項６】
請求項５記載の紙器において、
上記植物種は基材に保持された状態で上記物品保持部に保持されていて、その基材毎切り離してそのまま植えるものであることを特徴とする紙器。
【請求項７】
請求項１〜請求項６の何れかに記載の紙器において、
上記起立部の引出側の面はメッセージ表示部となっていることを特徴とする紙器。
【請求項８】
請求項１〜７の何れかに記載の紙器において、
上記紙器本体には本体係止部が備えられており、
上記引出部には上記本体係止部に係合することにより上記起立部を起立させる起立係止部が設けられていることを特徴とする紙器。
【請求項９】
請求項８記載の紙器において、
上記引出部には上記本体係止部に係合することにより引出端を規定する引出端係止部が設けられていることを特徴とする紙器。
【請求項１０】
請求項８又は請求項９記載の式において、
上記起立部の起立姿勢は、上記起立係止部が上記本体係止部と係合して起立動作を開始する起立開始位置と、上記引出部が引出端に達する引出位置と、の間で調整し得るように構成されていることを特徴とする紙器。
【考案の詳細な説明】
【技術分野】
【０００１】
本考案は、紙器本体と、上記紙器本体に対して出没可能に取り付けられた引出部と、を備えた紙器に係り、特に、上記引出部を引き出した時の立体的ないし動的な形状に特徴を有するものに関する。
【背景技術】
【０００２】
紙器本体内に収容される物品としては種々のものがあり、収容される物品の形状や大きさ等に対応して種々の形状や構造を有する紙器が考案されている。  
例えば、下記の特許文献１に開示されている紙器は、アレンジメントされた花飾り等の収容に適した開閉式の扉板を後面に備えた包装用箱である。
【０００３】
そして、上記扉板を紙器本体の後面に設けることによって上記花飾り等の紙器本体からの出し入れを容易にし、更に上記扉板の内面にメッセージカード等を保持する添付手段を備えることによって、当該花飾り等を受け取った人が当該紙器本体の扉板を開いた時に送り手のメッセージを同時に伝えることができるという趣向（面白み）を提供している。
【先行技術文献】
【特許文献】
【０００４】
【特許文献１】特開２００６−２６４７５３号公報
【考案の概要】
【考案が解決しようとする課題】
【０００５】
上記従来の構成によると次のような問題があった。
すなわち、特許文献１に開示されている趣向は、平面的ないし静的な趣向であり、立体的ないし動的な要素に乏しく、より一層の趣向が求められている紙器の現状を踏まえれば面白みに欠けるという問題があった。
【０００６】
本考案はこのような点に基づいてなされたものでその目的とするところは、従来の紙器には多く採用されてこなかった立体的ないし動的な要素を紙器に組み込むことによって、意外性と機能性、そしてより一層の面白みを兼ね備えた新規な紙器を提供することにある。
【課題を解決するための手段】
【０００７】
上記目的を達成するべく本願考案の請求項１による紙器は、紙器本体と、上記紙器本体に対して出没可能に取り付けられた引出部と、上記引出部に設けられ該引出部が上記紙器本体より引き出されることにより起立される起立部と、を具備したことを特徴とするものである。
又、請求項２による紙器は、請求項１記載の紙器において、上記引出部には物品を保持する物品保持部が設けられていることを特徴とするものである。
又、請求項３による紙器は、請求項２記載の紙器において、上記物品保持部は容器状に形成されていることを特徴とするものである。
又、請求項４による紙器は、請求項３記載の紙器において、上記起立部には硬貨を保持する硬貨保持部が設けられていて、上記物品保持部は貯金箱として機能するように構成されていて、上記引出部を引き出して上記起立部の硬貨保持部に硬貨を保持させ、上記引出部を上記紙器本体内に押し戻すことにより上記硬貨保持部に保持させた硬貨を上記物品保持部内に落下させるようにしたことを特徴とするものである。
又、請求項５による紙器は、請求項２記載の紙器において、上記物品保持部には物品としての植物種が保持されていることを特徴とするものである。
又、請求項６による紙器は、請求項５記載の紙器において、上記植物種は基材に保持された状態で上記物品保持部に保持されていて、その基材毎切り離してそのまま植えるものであることを特徴とするものである。
又、請求項７による紙器は、請求項１〜請求項６の何れかに記載の紙器において、上記起立部の引出側の面はメッセージ表示部となっていることを特徴とするものである。
又、請求項８による紙器は、請求項１〜７の何れかに記載の紙器において、上記紙器本体には本体係止部が備えられており、上記引出部には上記本体係止部に係合することにより上記起立部を起立させる起立係止部が設けられていることを特徴とするものである。
又、請求項９による紙器は、請求項８記載の紙器において、上記引出部には上記本体係止部に係合することにより引出端を規定する引出端係止部が設けられていることを特徴とするものである。
又、請求項１０による紙器は、請求項８又は請求項９記載の式において、上記起立部の起立姿勢は、上記起立係止部が上記本体係止部と係合して起立動作を開始する起立開始位置と、上記引出部が引出端に達する引出位置と、の間で調整し得るように構成されていることを特徴とするものである。
【考案の効果】
【０００８】
以上述べたように、本考案の紙器によると、引出部が紙器本体から引き出されることによって自動的に起立される起立部が具備されているから、従来の紙器には見られなかった立体的ないし動的な表現が紙器に付加されて、意外性と機能性、そして一層の面白みを兼ね備えた紙器の提供が可能になる。  
又、上記引出部に物品保持部を設けた場合には、送り主の気持ちを物品に込めて受取人に伝えることが可能になり、上記意外性、面白みといった趣向に加えて受取人が予想していなかった当該物品を受け取るといったお得感を受取人に与えることが可能になる。  
又、上記物品保持部を容器状に形成した場合には、平面的な物品だけでなく、立体的な物品も保持できるようになり、種々の形状、大きさの物品をより多く収容することが可能になる。したがって、当該紙器をプレゼントの包装箱として使用することが可能になる。  
又、上記起立部に硬貨保持部を設け、上記物品保持部を貯金箱として機能するように構成した場合には、当該紙器を当初は包装箱として使用し、当該紙器を受け取った受取人が２次的な利用として貯金箱として使用する、或いは当初から貯金箱として当該紙器を使用することが可能になり、より一層趣向豊かな紙器を提供できるようになる。  
更に、上記引出部の押し戻し動作によって硬貨保持部に保持された当該硬貨を上記物品保持部内に落下させるようにした場合には、更に動的ないし操作上の面白みが当該紙器に付与される。
又、上記物品保持部に物品としての植物種を保持させるようにした場合には、当該紙器を受け取った受取人が上記物品保持部で保持されていた植物種を蒔いて育てるといった別途の趣向を当該紙器に付与することが可能になる。  
又、上記植物種を基材に保持させた状態で物品保持部に保持し、上記植物種を基材毎切り離してそのまま植えることができるように構成した場合には、当該植物種の種蒔作業が容易になり、上記基材がゴミにならず、基材の処理が容易になる。  
又、上記起立部の引出側の面にメッセージ表示部を設けた場合には、送り主の気持ちをメッセージとして受取人に伝えることが可能になり、上記意外性、面白みといった趣向に加えてメッセージ伝達手段としての趣向が付加される。  
又、上記紙器本体には本体係止部が備えられており、上記引出部には上記本体係止部に係合することにより上記起立部を起立させる起立係止部が設けられている場合には、簡単な構成で起立部の起立を実現することができる。
又、上記引出部に、さらに、上記本体係止部に係合することにより引出端を規定する引出端係止部を設けた場合には、簡単な構成で引出部の引出端を規定することができる。
又、上記起立部の起立姿勢を、起立部の起立開始位置と引出部の引出位置との間で調整し得るように構成した場合には、上記起立部が起立開始位置に到達後、上記引出部の引出位置に到達するまでの間は、上記引出部の引出量を可変することによって、上記起立部の起立角度を調整することが可能になる。
【図面の簡単な説明】
【０００９】
【図１】本考案の第１の実施の形態を示す図で、紙器本体内に引出部を格納した状態を示す斜視図である。
【図２】本考案の第１の実施の形態を示す図で、起立部が起立動作を開始した直後の形態を示す斜視図である。
【図３】本考案の第１の実施の形態を示す図で、紙器本体から引出部を引き出した状態を示す斜視図である。
【図４】本考案の第１の実施の形態を示す図で、紙器本体を構成する第１パーツを示す展開図である。
【図５】本考案の第１の実施の形態を示す図で、引出部と起立部を構成する第２パーツを示す展開図である。
【図６】本考案の第１の実施の形態を示す図で、第２パーツを第１パーツにセットする前の状態を示す平面図である。
【図７】本考案の第１の実施の形態を示す図で、起立部が起立動作を開始した直後の状態（ａ）と、起立部の起立動作が完了した引出端での状態（ｂ）と、を示す側断面図である。
【図８】本考案の第２の実施の形態を示す図で、紙器本体内に引出部を格納した状態を示す斜視図である。
【図９】本考案の第２の実施の形態を示す図で、起立部が起立動作を開始した直後の状態を示す斜視図である。
【図１０】本考案の第２の実施の形態を示す図で、紙器本体から引出部を引き出した状態を示す斜視図である。
【図１１】本考案の第２の実施の形態を示す図で、紙器本体を構成する第１パーツを示す展開図である。
【図１２】本考案の第２の実施の形態を示す図で、引出部を構成する第２パーツを示す展開図である。
【図１３】本考案の第２の実施の形態を示す図で、起立部を構成する第３パーツを示す展開図である。
【図１４】本考案の第２の実施の形態を示す図で、第３パーツを組み付けた第２パーツを第１パーツにセットする前の状態を示す平面図である。
【図１５】本考案の第２の実施の形態を示す図で、起立部が起立動作を開始した直後の状態（ａ）と、起立部の起立動作が完了した引出端での状態（ｂ）と、を示す側断面図である。
【図１６】本考案の第３の実施の形態を示す図で、紙器本体内に引出部を格納した状態を示す斜視図である。
【図１７】本考案の第３の実施の形態を示す図で、起立部が起立動作を開始した直後の状態を示す斜視図である。
【図１８】本考案の第３の実施の形態を示す図で、紙器本体から引出部を引き出した状態を示す斜視図である。
【図１９】本考案の第３の実施の形態を示す図で、紙器本体を構成する第１パーツを示す展開図である。
【図２０】本考案の第３の実施の形態を示す図で、引出部を構成する第２パーツを示す展開図である。
【図２１】本考案の第３の実施の形態を示す図で、引出部を構成する第３パーツを示す展開図である。
【図２２】本考案の第３の実施の形態を示す図で、第３パーツを組み付けた第２パーツを第１パーツにセットする前の状態を示す平面図である。
【図２３】本考案の第３の実施の形態を示す図で、起立部が起立動作を開始した直後の状態（ａ）と、起立部の起立動作が完了した引出端での状態（ｂ）と、を示す側断面図である。
【図２４】本考案の第３の実施の形態を示す図で、硬貨保持部に硬貨を保持させた状態（ａ）と、硬貨保持部に保持させた硬貨を落下させて物品保持部内に収容する時の状態（ｂ）と、を示す側断面図である。
【考案を実施するための形態】
【００１０】
以下、図１乃至図７に示す第１の実施の形態と、図８乃至図１５に示す第２の実施の形態と、図１６乃至図２４に示す第３の実施の形態と、を例にとって本考案の紙器の構造と、組立時及び使用時の操作手順について具体的に説明する。  
（１）第１の実施の形態（図１乃至図７参照）
本考案の紙器１は、紙器本体３と、上記紙器本体３に対して出没可能に取り付けられた引出部５と、上記引出部５に設けられ該引出部５が上記紙器本体３より引き出されることにより起立される起立部７と、を具備することによって構成されている。
【００１１】
そして、本考案の第１の実施の形態では、図１に示すように上記引出部５を上記紙器本体３内に格納した状態で平坦になるメッセージカードタイプの紙器１Ａを示している。  
本考案の第１の実施の形態による紙器１Ａは、図４及び図５の展開図に示すように、組み立てた状態で紙器本体３Ａを構成する第１パーツＰ１と、組み立てた状態で引出部５Ａと起立部７Ａを構成する第２パーツＰ２の２つのパーツを備えることによって構成されている。
尚、上記第１パーツＰ１と第２パーツＰ２は、必要な剛性を有する厚紙や折り曲げ可能な薄手のプラスチック板等によって形成されている。
【００１２】
このうち、第１パーツＰ１は、図４の展開図に示すように組み立てた状態で表面となる表板９と、該表板９の一例として左側の第１折り線Ｌ１を挟んで連接される第１裏板１１と、上記表板９の一例として右側の第２折り線Ｌ２を挟んで連接される第２裏板１３と、上記表板９の一例として下側の第３折り線Ｌ３を挟んで連接される本体係止部１５と、を備えることによって構成されている。  
そして、このような構成の第１パーツＰ１は、第１折り線Ｌ１で上記第１裏板１１を裏側に折り曲げ、第２折り線Ｌ２で上記第２裏板１３を同じく裏側に折り曲げて両者の端辺部１１ａ、１３ａを糊付けして偏平な筒状に形成する。更に、第３折り線Ｌ３で上記本体係止部１５を内側に１８０°折り曲げれば図６に示すように紙器本体３Ａを構成する第１パーツＰ１の組み立てが完成する。
【００１３】
一方、第２パーツＰ２は、図５の展開図に示すように組み立てた状態で表面となる引出表板１７と、該引出表板１７の左側の第４折り線Ｌ４を挟んで連接される起立前板１９と、該起立前板１９の左側の第５折り線Ｌ５を挟んで連接される起立上板２１と、該起立上板２１の左側の第６折り線Ｌ６を挟んで連接される起立後板２３と、該起立後板２３の左側の第７折り線Ｌ７を挟んで連接される起立支え板２５と、該起立支え板２５の左側の第８折り線Ｌ８を挟んで連接される一例として２枚に分かれた、起立係止部２７、２７と、上記引出表板１７の右側の第９折り線Ｌ９を挟んで連接される引出裏板２９と、該引出裏板２９の右側の第１０折り線Ｌ１０を挟んで連接される一例として２枚に分かれた引出端係止部３１、３１と、を具備することによって構成されている。
【００１４】
又、上記引出表板１７の第９折り線Ｌ９寄りの上下には、引出部５Ａを紙器本体３Ａ内に挿し込む際にストッパとして機能する幅方向Ｗに張り出した２つの張出し部３３、３３が設けられており、更に上記引出表板１７の上記張出し部３３、３３寄りの幅方向Ｗの中央部には、幅方向Ｗに延びる第１１折り線Ｌ１１と、該第１１折り線Ｌ１１の両端から図示のように門型に切られたスリット３５が設けられており、該スリット３５と第１１折り線Ｌ１１で囲まれた内部が物品Ａを挟んで保持する物品保持部３７になっている。  
又、本実施の形態では、物品Ａの一例として、図３に示すように、植物種Ａ１を使用しており、該植物種Ａ１は一例として短冊状の基材Ｂに保持された状態で上記物品保持部３７に保持されていて、その基材Ｂ毎切り離してそのまま植えることができる一例としてマッチ棒様の形状をした物品Ａが採用されている。
尚、図３に示す場合には、５個の短冊状の基材Ｂが切り離し可能に連接されていて、各基材Ｂに植物種Ａ１が保持されている。そして、各短冊状の基材Ｂ単位で切り離して植えるものである。
【００１５】
又、上記第５折り線Ｌ５と第６折り線Ｌ６を跨ぐように一例として円弧状に形成されたスリット３９が設けられており、該スリット３９を設けることによって図３に示すように起立部７Ａを起立姿勢にした時、上記起立前板１９の上辺の幅方向Ｗの中央にアーチ状をした飾り縁部４１が形成されるように構成されている。  
又、上記起立前板１９の前面は、メッセージ表示部４３になっており、該メッセージ表示部４３に直接ペンでメッセージを書く、或いはメッセージが書かれた用紙やラベル等を貼付するのに使用される。
【００１６】
そして、このようにして構成される第２パーツＰ２は、第９折り線Ｌ９で引出表板１７を引出裏板２９側に折り曲げ、上記引出表板１７の端辺部１７ａを上記引出裏板２９の対向する位置に糊付けする。  
次に、第４折り線Ｌ４で起立前板１９、第６折り線Ｌ６で起立後板２３を互い違いに折り曲げ、更に第８折り線Ｌ８で起立係止部２７、２７、第１０折り線Ｌ１０で引出端係止部３１、３１をそれぞれ折り曲げれば、図６に示すように引出部５Ａと起立部７Ａを構成する第２パーツＰ２の組み立てが完成する。  
そして、図６中の矢印で示すように組み立てが完成した第２パーツＰ２を組み立てが完成した上記第１パーツＰ１内に挿し込めば、図１に示すように紙器本体３Ａ内に引出部５Ａと起立部７Ａが格納された状態の本実施の形態による紙器１Ａの組み立てが完了する。
【００１７】
次に、このようにして組み立てられた紙器１Ａを受け取った人が、当該紙器１Ａを使用する場合の操作手順について説明する。  
紙器本体３Ａの手前側の開口部から上記張出し部３３を備えた引出部５Ａの一部が図１に示すように突出しているから、該突出している引出部５Ａの一部を指で摘んで手前に引出部５Ａを引き出す。
ある程度、引出部５Ａが引き出されて、紙器本体３Ａ内の起立係止部２７、２７が紙器本体３Ａの手前側の開口部の内面に折り返されている本体係止部１５に当接し、係合を開始すると、図２及び図７（ａ）に示すように起立部７Ａが徐々に立体的に立ち上って行く起立動作が開始される。
【００１８】
更に、引出部５Ａを手前に引き出して行くと、起立部７Ａがさらに立体的に立ち上って行く。そして、引出端係止部３１、３１が上記起立係止部２７、２７と共に本体係止部１５と係合すると、図３及び図７（ｂ）に示すように、上記引出部５Ａはその引出端で移動を停止する。その結果、上記起立部７Ａは上方の飾り縁部４１が幾分後方に位置するように傾斜した起立姿勢となる。  
又、この状態では図示のように起立部７Ａの引出側の面にメッセージ表示部４３が立体的に出現するようになり、その手前には、物品保持部３７によって保持された物品Ａである植物種Ａ１が位置することになる。
【００１９】
そして、このようにして構成される本考案の第１の実施の形態に係る紙器１Ａによれば、従来の紙器には見られなかった立体的ないし動的な表現が紙器に付加されて、意外性と機能性、そして一層の面白みを兼ね備えた紙器の提供が可能になる。  
又、メッセージ表示部４３を設けたことにより、送り主の気持ちをメッセージとして受取人にダイレクトに伝えることが可能になり、受取人が予想していなかった物品Ａの提供によって、受取人はお得感を得ることが可能になる。
【００２０】
（２）第２の実施の形態（図８乃至図１５参照）
本考案の第２の実施の形態では、図１０に示すように物品保持部４５が容器状に形成された包装箱タイプの紙器１Ｂを示している。  
本考案の第２の実施の形態による紙器１Ｂは、図１１乃至図１３の展開図に示すように組み立てた状態で紙器本体３Ｂを構成する第１パーツＱ１と、組み立てた状態で引出部５Ｂを構成する第２パーツＱ２と、組み立てた状態で起立部７Ｂを構成する第３パーツＱ３の３つのパーツを備えることによって構成されている。
尚、上記第１の実施の形態と同様、上記第１パーツＱ１、第２パーツＱ２及び第３パーツＱ３は、必要な剛性を有する厚紙や折り曲げ可能な薄手のプラスチック板等によって形成されている。
【００２１】
このうち、第１パーツＱ１は、図１１の展開図に示すように、組み立てた状態で上面となる上板４７と、該上板４７の一例として左側の第１折り線Ｍ１を挟んで連接される右側板４９と、上記上板４７の一例として右側の第２折り線Ｍ２を挟んで連接される左側板５１と、上記上板４７の一例として上側の第３折り線Ｍ３を挟んで連接される本体係止部５３と、上記右側板４９の左側の第４折り線Ｍ４を挟んで連接される下板５５と、該下板５５の左側の第５折り線Ｍ５を挟んで連接される糊代片５７と、を備えることによって構成されている。
【００２２】
そして、このような構成の第１パーツＱ１は、折り線Ｍ１、Ｍ２、Ｍ４、Ｍ５で９０°ずつ、右側板４９、左側板５１、下板５５及び糊代片５７を裏側に折り曲げ、糊代片５７を左側板５１の内面に糊付けして角筒状に形成する。  
更に、第３折り線Ｍ３で上記本体係止部５３を内側に１８０°折り曲げれば、図１４に示すように紙器本体３Ｂを構成する第１パーツＱ１の組み立てが完成する。
【００２３】
又、第２パーツＱ２は、図１２の展開図に示すように組み立てた状態で上面となる引出上板５９と、該引出上板５９の左側の第６折り線Ｍ６を挟んで連接される引出右側板６１と、該引出右側板６１の上側の第７折り線Ｍ７を挟んで連接される前側右補強板６３と、上記引出右側板６１の下側の第８折り線Ｍ８を挟んで連接される奥側右補強板６５と、上記引出上板５９の右側の第９折り線Ｍ９を挟んで連接される引出左側板６７と、該引出左側板６７の上側の第１０折り線Ｍ１０を挟んで連接される前側左補強板６９と、上記引出左側板６７の下側の第１１折り線Ｍ１１を挟んで連接される奥側左補強板７１と、上記引出上板５９の上側の第１２折り線Ｍ１２を挟んで連接される引出前板７３と、該引出前板７３の上側の第１３折り線Ｍ１３を挟んで連接される前側下補強板７５と、上記引出上板５９の下側の第１４折り線Ｍ１４を挟んで連接される引出外後板７７と、該引出外後板７７の下側の第１５折り線Ｍ１５を挟んで連接される奥側下係止片７９と、を備えている。  
【００２４】
又、上記引出左側板６７の右側の第１６折り線Ｍ１６を挟んで連接される引出下板８１と、該引出下板８１の右側の第１７折り線Ｍ１７を挟んで連接される糊代片８３と、上記引出下板８１の下側の第１８折り線Ｍ１８を挟んで連接される引出内後板８５と、上記引出下板８１の上側の第１９折り線Ｍ１９を挟んで連接される一例としてハート型をした下摘み片８７と、該下摘み片８７に第２０折り線Ｍ２０を挟んで連接される一例としてハート型をした上摘み片８９と、該上摘み片８９に第２１折り線Ｍ２１を挟んで連接される摘み片係止部９１と、を備えている。
【００２５】
更に、上記引出上板５９の手前寄りの位置には、引出右側板６１と引出左側板６７の一部に跨るように大きく開口した窓部９３が形成されており、該窓部９３の下側には第２２折り線Ｍ２２を挟んで上記引出板５９に連接されている連結フラップ９５が設けられている。  
又、上記第１８折り線Ｍ１８の中央には、組立時に上記奥側下係止片７９を挿し込んで係止させる係止スリット９７が形成されている。
【００２６】
又、第３パーツＱ３は、図１３の展開図に示すように、倒伏姿勢時に上記窓部９３を閉塞するように作用する起立前板９９と、該起立前板９９の左側の第２３折り線Ｍ２３を挟んで連接される起立後板１０１と、該起立後板１０１の左側の第２４折り線Ｍ２４を挟んで連接される連結板１０３と、該連結板１０３の左側の第２５折り線Ｍ２５を挟んで連接される一例として台形状をした起立支え板１０５と、該起立支え板１０５の左側の第２６折り線Ｍ２６を挟んで連接される一例として５角形状をした起立係止部１０７と、を具備することによって構成されている。
【００２７】
そして、先に説明した第２パーツＱ２は、最初に折り線Ｍ６、Ｍ９、Ｍ１６、Ｍ１７で引出右側板６１、引出左側板６７、引出下板８１、糊代片８３を裏側に９０°ずつ巻くように折り曲げ、糊代片８３に糊を付けて引出右側板６１の内面に接着して角筒状にする。  
次に、折り線Ｍ７、Ｍ８、Ｍ１０、Ｍ１１、Ｍ１８で前側右補強板６３、奥側右補強板６５、前側左補強板６９、奥側左補強板７１、引出内後板８５を内側に９０°ずつ折り曲げ、第２０折り線Ｍ２０で上摘み片８９及び摘み片係止部９１を上方に１８０°折り曲げて下摘み片８７及び引出下板８１の上に折り重ねる。  
そして、第１２折り線Ｍ１２で引出前板７３を下方に９０°折り曲げ、第１３折り線Ｍ１３で前側下補強板７５を内方に９０°折り曲げて上記摘み片係止部９１を係止した状態とする。
【００２８】
更に、第１４折り線Ｍ１４で引出外後板７７を下方に９０°折り曲げ、第１５折り線Ｍ１５で奥側下係止片７９を内方に９０°折り曲げて上記係止スリット９７に挿し込んで係止させれば、内部に容器状の物品保持部４５が形成された角箱状の引出部５Ｂを構成する第２パーツＱ２の組み立てが完成する。  
一方、第３パーツＱ３は、第２３折り線Ｍ２３で起立後板１０１を１８０°起立前板９９側に折り曲げ、折り曲げた起立後板１０１の端辺部１０１ａに糊を付けて、上記起立前板９９に接着する。
【００２９】
更に、第２６折り線Ｍ２６で起立係止部１０７を上方に１８０°折り曲げ、上述した第２パーツＱ２の連結フラップ９５と上記起立前板９９の端辺部９９ａに糊付けして両者を連結すれば、第２パーツＱ２と第３パーツＱ３が一体化されて、上面に起立部７Ｂを備えた一体構造の引出部５Ｂの組み立てが完成する。  
そして、図１４中の矢印で示すように一体に組み立てられた第２パーツＱ２と第３パーツＱ３を組み立てが完成した上記第１パーツＱ１に挿し込めば、図８に示すように紙器本体３Ｂ内に引出部５Ｂと起立部７Ｂが格納された状態の本実施の形態による紙器１Ｂの組み立てが完了する。
【００３０】
次に、このようにして組み立てられた紙器１Ｂを受け取った人が、当該紙器１Ｂを使用する場合の操作手順について説明する。  
紙器本体３Ｂの手前側の開口部から折り重ねられた状態のハート型の上摘み片８９と下摘み片８７が図８に示すように突出しているから、該突出している上摘み片８９と下摘み片８７を指で摘んで手前に引出部５Ｂを引き出す。  
ある程度、引出部５Ｂが引き出されて、紙器本体３Ｂ内の起立係止部１０７が紙器本体３Ｂの手前側の開口部の内面に折り返されている本体係止部５３に当接し、係合を開始すると、図９及び図１５（ａ）に示すように起立部７Ｂが徐々に立体的に立ち上がって行く起立動作が開始される。
【００３１】
更に、引出部５Ｂを手前に引き出して行くと、起立部７Ｂがさらに立ち上がって行く。そして、連結フラップ９５に引張力が作用し、起立前板９９の第２２折り線Ｍ２２を中心とする後方への回動が重くなった位置で、図１０及び図１５（ｂ）に示すように引出部５Ｂは移動を停止し、上記起立部７Ｂは上方の第２３折り線Ｍ２３が幾分後方に位置するように後傾した起立姿勢に移行する。  
そして、このようにして構成される本考案の第２の実施の形態に係る紙器１Ｂによっても、上述した本考案の第１の実施の形態に係る紙器ＩＡと同様の作用、効果を享受でき、更に本実施の形態にあっては、物品保持部４５を容器状に形成したことにより、平面的な物品Ａだけでなく、立体的な物品Ａも保持できるようになり、種々の形状、大きさの物品Ａをより多く収容することが可能になる。
【００３２】
（３）第３の実施の形態（図１６乃至図２４参照）
本考案の第３の実施の形態では、図１８に示すように起立部７Ｃに対して物品Ａの一例として硬貨Ａ２を保持する硬貨保持部１０９を設け、物品保持部１１１が上記第２の実施の形態と同様、容器状に形成された貯金箱タイプの紙器１Ｃを示している。  
本考案の第３の実施の形態による紙器１Ｃは、図１９乃至図２１の展開図に示すように組み立てた状態で紙器本体３Ｃを構成する第１パーツＲ１と、組み立てた状態で引出部５Ｃを構成する第２パーツＲ２と、組み立てた状態で起立部７Ｃを構成する第３パーツＲ３の３つのパーツを備えることによって構成されている。
尚、上記第２の実施の形態と同様、上記第１パーツＲ１、第２パーツＲ２及び第３パーツＲ３は、必要な剛性を有する厚紙や折り曲げ可能な薄手のプラスチック板等によって形成されている。
【００３３】
このうち、第１パーツＲ１は、基本的に上述した第２の実施の形態の第１パーツＱ１と同様の構成を有しており、図１９の展開図に示すように、組み立てた状態で上面となる上板１１３と、該上板１１３の一例として左側の第１折り線Ｎ１を挟んで連接される右側板１１５と、上記上板１１３の一例として右側の第２折り線Ｎ２を挟んで連接される左側板１１７と、上記上板１１３の一例として上側の第３折り線Ｎ３を挟んで連接される本体係止部１１９と、上記右側板１１５の左側の第４折り線Ｎ４を挟んで連接される下板１２１と、該下板１２１の左側の第５折り線Ｎ５を挟んで連接される糊代片１２３と、を備えることによって構成されている。
【００３４】
そして、このような構成の第１パーツＲ１は、折り線Ｎ１、Ｎ２、Ｎ４、Ｎ５で９０°ずつ右側板１１５、左側板１１７、下板１２１及び糊代片１２３を裏側に折り曲げ、糊代片１２３を左側板１１７の内面に糊付けして角筒状に形成する。  
更に、第３折り線Ｎ３で上記本体係止部１１９を内側に１８０°折り曲げれば、図２２に示すように紙器本体３Ｃを構成する第１パーツＲ１の組み立てが完成する。
【００３５】
又、第２パーツＲ２は、図２０の展開図に示すように、組み立てた状態で上面となる引出上板１２５と、該引出上板１２５の左側の第６折り線Ｎ６を挟んで連接される引出右側板１２７と、該引出右側板１２７の上側の第７折り線Ｎ７を挟んで連接される前側右補強板１２９と、上記引出右側板１２７の下側の第８折り線Ｎ８を挟んで連接される奥側右補強板１３１と、上記引出上板１２５の右側の第９折り線Ｎ９を挟んで連接される引出左側板１３３と、該引出左側板１３３の上側の第１０折り線Ｎ１０を挟んで連接される前側左補強難１３５と、上記引出左側板１３３の下側の第１１折り線Ｎ１１を挟んで連接される奥側左補強板１３７と、を備えている。  
【００３６】
又、上記引出上板１２５の上側の第１２折り線Ｎ１２を挟んで連接される引出前板１３９と、該引出前板１３９の上側の第１３折り線Ｎ１３を挟んで連接される前側下補強板１４１と、上記引出上板１２５の下側の第１４折り線Ｎ１４を挟んで連接される引出外後板１４３と、該引出外後板１４３の下側の第１５折り線Ｎ１５を挟んで連接される奥側下係止片１４５と、を備えている。  
又、上記引出左側板１３３の右側の第１６折り線Ｎ１６を挟んで連接される上部が一例として蒲鉾型をした引出下板１４７と、該引出下板１４７の右側の第１７折り線Ｎ１７を挟んで連接される糊代片１４９と、上記引出下板１４７の下側の第１８折り線Ｎ１８を挟んで連接される引出内後板１５１と、上記引出下板１４７の上側の第１９折り線Ｎ１９を挟んで連接される一例として蒲鉾型をした摘み片１５３と、を備えている。
【００３７】
更に、上記引出上板１２５の手前寄りの位置の幅方向Ｗの中央には硬貨Ａ２が入る程度の開口を有する窓部１５５が形成されており、該窓部１５５の下側には後述する第３パーツＲ３を貼付する時の目印となる筋押し線Ｓが設けられている。  
又、上記第１８折り線Ｎ１８の中央には、組立時に上記奥側下係止片１４５を挿し込んで係止させる係止スリット１５７が形成されている。
【００３８】
又、第３パーツＲ３は、図２１の展開図に示すように倒伏姿勢時に上記窓部１５５を閉塞するように作用する起立前板１５９と、該起立前板１５９の左側の第２０折り線Ｎ２０を挟んで連接される起立上板１６１と、該起立上板１６１の左側の第２１折り線Ｎ２１を挟んで連接される起立後板１６３と、該起立後板１６３の左側の第２２折り線Ｎ２２を挟んで連接される一例として台形状をした起立支え板１６５と、該起立支え板１６５の左側の第２３折り線Ｎ２３を挟んで連接される一例として５角形状をした起立係止部１６７と、を備えている。
【００３９】
又、上記起立前板１５９の右側の第２４折り線Ｎ２４を挟んで連接され、基部に幅広の糊代部１６９ａ、自由端部に幅狭の伸長部１６９ｂを備えた固定板１６９と、該固定板１６９の右側の第２５折り線Ｎ２５を挟んで連接される一例として５角形状をした引出端係止部１７１と、上記第２０折り線Ｎ２０上に形成される幅広の円弧状のスリット１７３と、上記第２１折り線Ｎ２１上に形成される上記スリット１７３よりも幅狭の円弧状のスリット１７５と、を具備することによって構成されている。
【００４０】
そして、先に説明した第２パーツＲ２は、最初に折り線Ｎ６、Ｎ９、Ｎ１６，Ｎ１７で引出右側板１２７、引出左側板１３３、引出下板１４７、糊代片１４９を裏側に９０°ずつ巻くように折り曲げ、糊代片１４９に糊を付けて引出右側板１２７の内面に接着して角筒状にする。  
次に、折り線Ｎ７、Ｎ８、Ｎ１０、Ｎ１１、Ｎ１８で前側右補強板１２９、奥側右補強板１３１、前側左補強板１３５、奥側左補強板１３７、引出内後板１５１を内側に９０°ずつ折り曲げ、第１９折り線Ｎ１９で摘み片１５３を上方に１８０°折り曲げて上記引出下板１４７の上に折り重ねる。  
そして、第１２折り線Ｎ１２で引出板１３９を下方に９０°折り曲げ、第１３折り線Ｎ１３で前側下補強板１４１を内方に９０°折り曲げて上記摘み片１５３の自由端側の端辺部を係止した状態とする。
【００４１】
更に、第１４折り線Ｎ１４で引出外後板１４３を下方に９０°折り曲げ、第１５折り線Ｎ１５で奥側下係止片１４５を内方に９０°折り曲げて上記係止スリット１５７に挿し込んで係止させれば、内部に容器状の物品保持部１１１が形成された角箱状の引出部５Ｃを構成する第２パーツＲ２の組み立てが完成する。  
一方、第３パーツＲ３は、第２１折り線Ｎ２１で起立後板１６３を１８０°起立前板１５９側に折り曲げ、更に第２３折り線Ｎ２３で起立係止部１６７を起立支え板１６５側に１８０°折り曲げ、第２５折り線Ｎ２５で引出端係止部１７１を固定板１６９側に１８０°折り曲げる。
【００４２】
そして、固定板１６９の糊代部１６９ａに糊を付けて上述した第２パーツＲ２の引出上板１２５上の所定の位置に上記筋押し線Ｓを案内にして接着すれば、第２パーツＲ２と第３パーツＲ３が一体化されて、上面に起立部７Ｃを備えた一体構造の引出部５Ｃの組み立てが完成する。  
このようにして一体に組み立てられた第２パーツＲ２と第３パーツＲ３を図２２中の矢印で示すように組み立てが完成した上記第１パーツＲ１に挿し込めば、図１６に示すように紙器本体３Ｃ内に引出部５Ｃと起立部７Ｃが格納された状態の本実施の形態による紙器１Ｃの組み立てが完了する。
【００４３】
次に、このようにして組み立てられた紙器１Ｃを受け取った人や購入した人が、当該紙器１Ｃを使用する場合の操作手順について説明する。  
紙器本体３Ｃの手前側の開口部から摘み片１５３と引出下板１４７の一部が図１６に示すように突出しているから、該突出している摘み片１５３と引出下板１４７の一部を指で摘んで手前に引出部５Ｃを引き出す。  
ある程度、引出部５Ｃが引き出されて、紙器本体３Ｃ内の起立係止部１６７が紙器本体３Ｃの手前側の開口部の内側に折り返されている本体係止部１１９に当接し、係合を開始すると、図１７及び図２３（ａ）に示すように起立部７Ｃが徐々に立体的に立ち上がって行く起立動作が開始される。
【００４４】
更に、引出部５Ｃを手前に引き出して行くと、起立部７Ｂがさらに立ち上がって行く。そして、紙器本体３Ｃの本体係止部１１９に起立部７Ｃの引出端係止部１７１が起立係止部１６７と共に係合するようになり、引出部５Ｃの手前側への移動が停止される。又、この時起立部７Ｃは起立姿勢に移行しており、起立上板１６１が幾分手前側に迫り出した前傾姿勢になっている。  
尚、上記起立部７Ｃの倒伏姿勢から起立姿勢への移行に伴って、引出部５Ｃの上面の引出上板１２５に形成された窓部１５５が現れ、第２０折り線Ｎ２０上に形成されたスリット１７３が開いて硬貨保持部１０９が出現する。
【００４５】
次に、このように引出部５Ｃが引出端に達した状態で行う硬貨Ａ２の投入手順について説明する。先ず、硬貨Ａ２を投入する人は、投入する硬貨Ａ２を指で摘んで図２４（ａ）に示すように硬貨保持部１０９となるスリット１７３の形成部位にできた開口に水平に挿し込む。  
続いて、引出部５Ｃの引出前板１３９を指で押す等して上記引出部５Ｃを紙器本体３Ｃ内に押し戻すと、図２４（ｂ）に示すように起立部７Ｃの前傾姿勢が大きくなって上記スリット１７３の形成部位にできた開口が下方を向くようになり、該硬貨保持部１０９の保持力が低下して当該硬貨Ａ２は下方に落下し、窓部１５５を通って引出部５Ｃの物品保持部１１１内に収容される。
【００４６】
そして、このようにして構成される本考案の第３の実施の形態に係る紙器１Ｃによっても、上述した本考案の第２の実施の形態に係る紙器Ｂと同様の作用、効果を享受でき、更に本実施の形態にあっては、当該紙器１Ｃを受け取った人が２次的な利用として貯金箱として使用する、或いは当初から貯金箱として当該紙器１Ｃを使用することが可能になる。  
更に、引出部５Ｃの押し戻し動作によって硬貨保持部１０９に一旦保持させた硬貨Ａ２を物品保持部１１１内に落下させるという動的ないし操作上の面白みが付加されて一層趣向が増した紙器１Ｃとなる。
【００４７】
尚、本考案は上述した第１〜第３の実施の形態に限定されるものではない。
例えば、本考案の紙器１の形状や大きさは、収容する物品Ａの形状や大きさ等に応じて種々変更することが可能であり、上記第１の実施の形態において物品Ａとして採用した植物種Ａ１に代えて平板状の装飾品や香料を入れた小袋等を適用することが可能である。  
同様に、上記第２及び第３の実施の形態において採用した摘み片８７、８９及び摘み片１５３の形状もハート型や蒲鉾型に限らず、花びらや葉っぱ、リボン等を模した形状等、種々の形状のものが採用可能である。
【００４８】
又、起立部７の起立姿勢での傾斜角度は、起立係止部２７が本体係止部１５と係合して起立動作を開始する起立開始位置と引出部５が引出端に達する引出位置との間の距離の長短で変化するから、使用の目的等の違いに応じて、当該距離を調整することが可能である。  
例えば、起立係止部２７と引出端係止部３１が別体に構成されていて、これらを引出部５に糊付けして位置を決めるように構成されている場合には、起立係止部２７と引出端係止部３１の貼付位置を変えることで上記起立開始位置と引出位置との間の距離や起立動作のタイミングを調整することが可能である。
【産業上の利用可能性】
【００４９】
本考案は、メッセージカード、包装箱等のパッケージ類の製造、使用分野等で利用でき、特に紙器本体と引出部を備えた紙器において、動的ないし立体的な要素を付加して面白みを付与したい場合に利用可能性を有する。
【符号の説明】
【００５０】
１  紙器
３  紙器本体
５  引出部
７  起立部
９  表板
１１  第１裏板
１１ａ  端辺部
１３  第２裏板
１３ａ  端辺部
１５  本体係止部
１７  引出表板
１７ａ  端辺部
１９  起立前板
２１  起立上板
２３  起立後板
２５  起立支え板
２７  起立係止部
２９  引出裏板
３１  引出端係止部
３３  張出し部
３５  スリット
３７  物品保持部
３９  スリット
４１  飾り縁部
４３  メッセージ表示部
４５  物品保持部
４７  上板
４９  右側板
５１  左側板
５３  本体係止部
５５  下板
５７  糊代片
５９  引出上板
６１  引出右側板
６３  前側右補強板
６５  奥側右補強板
６７  引出左側板
６９  前側左補強板
７１  奥側左補強板
７３  引出前板
７５  前側下補強板
７７  引出外後板
７９  奥側下係止片
８１  引出下板
８３  糊代片
８５  引出内後板
８７  下摘み片
８９  上摘み片
９１  摘み片係止部
９３  窓部
９５  連結フラップ
９７  係止スリット
９９  起立前板
９９ａ  端辺部
１０１  起立後板
１０１ａ  端辺部
１０３  連結板
１０５  起立支え板
１０７  起立係止部
１０９  硬貨保持部
１１１  物品保持部
１１３  上板
１１５  右側板
１１７  左側板
１１９  本体係止部
１２１  下板
１２３  糊代片
１２５  引出上板
１２７  引出右側板
１２９  前側右補強板
１３１  奥側右補強板
１３３  引出左側板
１３５  前側左補強板
１３７  奥側左補強板
１３９  引出前板
１４１  前側下補強板
１４３  引出外後板
１４５  奥側下係止片
１４７  引出下板
１４９  糊代片
１５１  引出内後板
１５３  摘み片
１５５  窓部
１５７  係止スリット
１５９  起立前板
１６１  起立上板
１６３  起立後板
１６５  起立支え板
１６７  起立係止部
１６９  固定板
１６９ａ  糊代部
１６９ｂ  伸長部
１７１  引出端係止部
１７３  スリット
１７５  スリット
Ｐ１  第１パーツ
Ｐ２  第２パーツ
Ｑ１  第１パーツ
Ｑ２  第２パーツ
Ｑ３  第３パーツ
Ｒ１  第１パーツ
Ｒ２  第２パーツ
Ｒ３  第３パーツ
Ｌ  折り線
Ｍ  折り線
Ｎ  折り線
Ｗ  幅方向
Ａ  物品
Ａ１  植物種
Ａ２  硬貨
Ｂ  基材
Ｓ  筋押し線
【図１】
0003182980.tif 000003
【図２】
0003182980.tif 000004
【図３】
0003182980.tif 000005
【図４】
0003182980.tif 000006
【図５】
0003182980.tif 000007
【図６】
0003182980.tif 000008
【図７】
0003182980.tif 000009
【図８】
0003182980.tif 000010
【図９】
0003182980.tif 000011
【図１０】
0003182980.tif 000012
【図１１】
0003182980.tif 000013
【図１２】
0003182980.tif 000014
【図１３】
0003182980.tif 000015
【図１４】
0003182980.tif 000016
【図１５】
0003182980.tif 000017
【図１６】
0003182980.tif 000018
【図１７】
0003182980.tif 000019
【図１８】
0003182980.tif 000020
【図１９】
0003182980.tif 000021
【図２０】
0003182980.tif 000022
【図２１】
0003182980.tif 000023
【図２２】
0003182980.tif 000024
【図２３】
0003182980.tif 000025
【図２４】
0003182980.tif 000026